(57)【要約】  ケンタッキーモップは、吸収性素材の細長く互いに同様に広がる複数の部材（１８）が伸長する元となる布素材で形成される細長管状のヘッダー（１９）を有する。モップのハンドルアセンブリ（１０）は、管状ヘッダー（１９）に挿入することができ、マウントの本体（１４）に向かって旋回することができる旋回可能なマウントバー（１５）を有するマウント（１３）を備える。ヘッダー（１９）は、マウント本体（１４）の底壁に形成される溝でバー（１５）によりしっかりと拘束される。【選択図】図２
2020505149.tif 000002
【特許請求の範囲】
【請求項１】
ヘッダーから伸長する吸収性素材の複数の細長部材を備えるモップ用ヘッドであって、前記ヘッダーは、前記モップのハンドルアセンブリのマウントの細長マウントバーを受け止めるのに適合した細長通路を定める、モップ用ヘッド。
【請求項２】
前記ヘッダーは、管状である、請求項１に記載のモップ用ヘッド。
【請求項３】
前記ヘッダーは、研磨素材を備える、請求項１又は請求項２に記載のモップ用ヘッド。
【請求項４】
前記ヘッダーは、柔軟な素材で形成される、請求項１〜請求項３のいずれか１項に記載のモップ用ヘッド。
【請求項５】
前記ヘッダーは、織物で形成される、請求項１〜請求項４のいずれか１項に記載のモップ用ヘッド。
【請求項６】
前記モップ用ヘッドの前記細長部材は、前記管状ヘッダーの側壁から外側へ伸長する、請求項２に記載のモップ用ヘッド。
【請求項７】
ハンドルアッセンブリと、請求項１〜請求項６のいずれか１項に記載の前記ヘッドと、を備えるモップであって、前記ハンドルアセンブリは、前記モップの前記ヘッダーにより定められる前記通路を通り伸長する細長マウントバーを有するマウントを備える、モップ。
【請求項８】
前記マウントバーは、前記マウントに向かって変位可能である、請求項７に記載のモップ。
【請求項９】
前記マウントバーは、細長く平らなブレードである、請求項１に記載のモップ。
【請求項１０】
前記マウントバーの第１端は、前記マウントの本体に旋回可能に据えられる、請求項８に記載のモップ。
【請求項１１】
前記マウントバーの第２端は、前記マウントの前記本体を解除可能に結合するように配置される、請求項１０に記載のモップ。
【請求項１２】
前記マウントバーの第２端は、解除可能な留め具によって、前記マウントの前記本体を解除可能に結合するように配置される、請求項１０に記載のモップ。
【請求項１３】
前記留め具は、前記マウントバーの前記第２端と前記マウントの前記本体の間の結合を解除するための作動部を具備する、請求項１２に記載のモップ。
【請求項１４】
前記マウントの前記本体は、前記マウントバーの前記第２端が前記マウントの前記本体と結合されるとき、前記マウントバーの長手側部が中で伸長する細長溝を備える、請求項１１〜１３のうちいずれか１項に記載のモップ。
【請求項１５】
前記溝は、前記マウントの前記本体から伸長する一組の歯の列の間で定められる、請求項１２に記載のモップ。
【請求項１６】
モップのハンドルアセンブリにモップヘッドを篏合する方法であって、前記モップヘッドのヘッダーにより定められる細長通路に前記ハンドルアセンブリのマウントの細長マウントバーを挿入することを含む、方法。
【請求項１７】
前記マウントバーを前記マウントの本体に向かって旋回させることと、前記マウントバーを前記マウントの本体にロックすることと、を含む、請求項１６に記載の方法。
【発明の詳細な説明】
【技術分野】
【０００１】
本発明は、モップヘッド、及びモップヘッドを組み込むモップに関する。
【背景技術】
【０００２】
多くの種類のモップが利用可能である。商業環境で幅広く使用されるモップの１つには、特に、大きな範囲の床の清掃、又は床磨き剤を塗ることに適した、所謂ケンタッキーモップがある。ケンタッキーモップは、紡績糸又は他の吸収性素材の細長く互いに同様に広がる複数の部材で形成されるほぼ平らな一組のウイング部を備えるモップヘッドを有する。各ウイング部の吸収性部材は、通常、各ウイング部がその平らな形状を維持する一助となる横方向に伸長するバンドにより、それらの両端の中間で、共に固定される。
【０００３】
ウイング部は、マウントに設けられるクリップのジョーの間に布素材のヘッダーを結合するなど、様々な異なる手法でモップヘッドをハンドルアセンブリのマウントに拘持するために使用されるヘッダーから伸長する。クリップは、例えば洗浄又は取り換えが必要なとき、モップヘッドをハンドルから容易に着脱することを可能にする。
【０００４】
ケンタッキーモップの課題の１つは、手作業のため、ユーザーが誤った種類のモップヘッドをハンドルアセンブリに篏合させることがあるほど、清掃又は研磨作業それぞれに適した非常に多くの種類の吸収性素材があることである。ケンタッキーモップの別の課題は、モップヘッドをハンドルアセンブリに篏合させること、又はハンドルアセンブリから外すことが困難な場合があることである。
【０００５】
そこで、上記の課題を念頭に置き、出願人は、改良したモップヘッドを発明した。
【発明の概要】
【０００６】
本発明によれば、第１態様からわかるように、ヘッダーから伸長する吸収性素材の複数の細長部材を備えるモップ用ヘッドであって、ヘッダーは、モップのハンドルアセンブリのマウントの細長マウントバーを受け止めるのに適合した細長通路を定める、モップ用ヘッドが提供される。
【０００７】
使用の際、ユーザーは、ヘッダーにより定められる通路にマウントバーを単に挿入する。この手法において、モップヘッドは、ハンドルアセンブリに容易に篏合する又はハンドルアセンブリから容易に外される。また、バーがヘッダーを結合する手段は、モップヘッドが通路を定めるヘッダーを有しない限り、モップヘッドをハンドルアセンブリに篏合することができないことを意味する。この手法において、手作業のため誤った種類のモップヘッドを篏合するというリスクが回避される。
【０００８】
ヘッダーは、管状であり得、織物など柔軟な素材で形成され得る。
【０００９】
ヘッダーは、研磨素材を含み得る。ヘッダーは管状であり得る。好ましくは、ヘッダーは柔軟な素材で形成される。好ましくは、ヘッダーは、織物で形成される。
モップヘッドの細長部材は、管状ヘッダーの側壁から外側へ伸長し得る。
【００１０】
また、本発明によれば、第２態様からわかるように、ハンドルアセンブリと、先に定義されたようなヘッドと、を備えるモップであって、ハンドルアセンブリは、モップのヘッダーにより定められる通路を通り伸長する細長マウントバーを有するマウントを備える、モップが提供される。
【００１１】
マウントバーは、マウントに向かって変位可能であり得る。
【００１２】
好ましくは、マウントバーは、細長く平らなブレードを備える。
【００１３】
マウントバーの第１端は、マウントの本体に旋回可能に据えられ得る。
【００１４】
マウントバーの第２端は、例えば解除可能な留め具によって、マウントの本体を解除可能に結合するように配置され得る。留め具は、マウントバーの第２端とマウントの本体の間の結合を解除するためのレバー又は他の作動部を具備し得る。
【００１５】
マウントの本体は、マウントバーの第２端がマウントの本体と結合されるとき、マウントバーの長手側部が中で伸長する細長溝を備え得る。
【００１６】
溝は、マウントの本体から伸長する一組の歯の列の間で定められ得る。
【００１７】
また、本発明によれば、第３態様からわかるように、モップのハンドルアセンブリにモップヘッドを篏合する方法であって、モップヘッドのヘッダーにより定められる細長通路にハンドルアセンブリのマウントの細長マウントバーを挿入することを含み、ヘッダーが適合するハンドルアセンブリは、モップのヘッダーにより定められる通路を通り伸長する細長マウントバーを有するマウントを備える、方法が提供される。
【００１８】
方法は、マウントバーをマウントの本体に向かって旋回させることと、マウントバーをマウントの本体にロックすることと、を含み得る。
【００１９】
次に、本発明の実施形態を、単なる例示として、添付の図面を参照し、記載する。
【図面の簡単な説明】
【００２０】
【図１】本発明に係るモップのハンドルアセンブリの正面図である。
【図２】図１のハンドルアセンブリに篏合されているモップヘッドの一方下側からの斜視正面図である。
【図３】組み立てたモップの正面図である。
【図４】図３の線ｉｖ−ｉｖに沿った断面図である。
【図５】本発明に係るモップヘッドのスリークォータービューでの概略図解である。
【発明を実施するための形態】
【００２１】
図面の図１〜３を参照すると、ハンドルアセンブリ１０と、取り外し可能なモップヘッド１１と、を備える所謂ケンタッキーモップが示されている。ハンドルアセンブリ１０は、マウント１３から上方に伸長する、細長く取り外し可能なハンドル１２を備える。マウント１３の底部は、平行で長手方向に伸長する２つの歯の列２０を具備する細長本体１４を備える。
【００２２】
細長バー１５の一端は、本体１４の一端に旋回可能に据えられる。バー１５の反対の端は、バー１５が本体１４に向かって旋回したとき、バー１５をその場で保持するように、本体１４の反対側にある留め具１６を結合するソケット１７を備える。レバー２１は、留め具１６から伸長し、バー１５から留め具１６を解除するように作動することができる。
【００２３】
モップヘッド１１は、織物素材の細長管状ヘッダー１９の一方側から放射状に互いに同様に広がる、綿又は他の吸収性素材の複数の細長い紡績糸１８を備える。モップヘッド１１は、バー１５の自由端を管状ヘッダー又はポケット１９に単に挿入し、その自由端が他方側に抜け出るまで、ヘッダー１９を完全に貫くようバー１５を摺動させることによりハンドルアセンブリ１０に据えられる。その後、バー１５は、留め具１６を結合するまで、マウント１３の本体１４に向かって旋回する。
【００２４】
モップヘッド１１は、単にこの動作を逆にすることにより外すことができる。留め具１６を解除し、使用者がモップヘッド１１に触れる必要なく、モップヘッド１１がバー１５の自由端から簡単に滑り落ちることを可能にすることにより、モップヘッド１１を使用後に外すことができることは有利である。
【００２５】
図面の図４を参照すると、バー１５は、断面がほぼ三角形であり、その１つの長手方向に伸長する角は、バー１５の自由端が留め具１６と結合するとき、本体１４にある平行で長手方向に伸長する２つの歯の列２０の間で定められる溝内に突出する。歯２０は、布ヘッダー１９を結合し、モップヘッド１１がマウント１３に対して動くことを妨げる。歯２０とバー１５の間の隙間は、比較的小さく、そのため、異なる種類のヘッダーを有する不適切なモップヘッドが意図せず篏合されると、バー１５は閉じることができないことが理解されよう。あるいは、バー１５は、それ自体がほぼ平坦な２つの対向面を備えるブレードを備え得る。
【００２６】
本発明に係るモップヘッドを有するモップは、作製が安価でありながら、頑丈で、使用が簡単である。
【００２７】
次に、図面の図５を参照すると、モップヘッド１１が描かれている。ここで、モップヘッド１１は、中央ヘッダー１９の対向面から伸長する、綿又は他の吸収性素材の複数の細長い紡績糸１８を備える。中央ヘッダー１９自体は、細長い紡績糸１８の長さに垂直に、モップヘッド１１の中央線に沿って伸長する細長い管又はポケット１００を備える。細長い管１００の両側に、モップヘッド１１は、橋架部１２０、１３０を備える。これら橋架部１２０、１３０は、各々、細長い紡績糸１８の一部に細長い管１００を接続させるのに役立ち、その結果、細長い紡績糸１８は、細長い管１００に接続される。中央ヘッダー１９は、細長い管１００と、両橋架部１２０、１３０との両方を備える。細長い管は、先に記載したように、モップのバーを収容するような大きさである。
【００２８】
中央ヘッダー１９は、メッシュ素材を備え、その結果、中央ヘッダー１９の表面は、細長い紡績糸１８よりも、ざらついている又はきめが粗い。モップヘッド１１の使用の間、中央ヘッダー１９が清掃面と接触させられると、このざらついた、研磨する、又はきめが粗い中央ヘッダー１９は、表面をごしごし磨くために使用され得る。この手段において、汚れ及び／又はホコリを清掃面から除去することが容易である。
【図１】
2020505149.tif 000003
【図２】
2020505149.tif 000004
【図３】
2020505149.tif 000005
【図４】
2020505149.tif 000006
【図５】
2020505149.tif 000007
【国際調査報告】
2020505149.tif 000008
2020505149.tif 000009
2020505149.tif 000010